(57)【要約】【課題】  ヘアキャッチャーの手入れと同時に、防臭パイプのヌメリを良好に除去できて、手入れが容易となる排水トラップを提供する。【解決手段】  内部に防臭パイプ８が垂設されてなる排水トラップ７において、防臭パイプ８が上部の上部筒体９と下部の下部筒体１０に２分割されて構成されており、下部筒体１０にヘアキャッチャー５が一体化されている。【選択図】  図２
2007046426.tif 000002
【特許請求の範囲】
【請求項１】
内部に防臭パイプが垂設されてなる排水トラップにおいて、前記防臭パイプが上下に２分割されていることを特徴とする排水トラップ。
【請求項２】
前記分割されている防臭パイプの下部筒体には、排水中の毛髪を捕集し得るヘアキャッチャーが一体化されていることを特徴とする請求項１に記載の排水トラップ。
【発明の詳細な説明】
【技術分野】
【０００１】
本発明は、浴室の排水口に設けられる排水トラップに関するものである。
【背景技術】
【０００２】
従来、特許文献１に開示されているように、排水トラップ内の封水中に浸漬するように排水トラップの内部に封水筒が垂設されており、この封水筒の内部に髪の毛を捕集するヘアキャッチャーが設けられたものが存在する。
【特許文献１】特開２００１−２３４５７０号公報
【発明の開示】
【発明が解決しようとする課題】
【０００３】
上記従来の排水トラップでは、内部に設けられている封水筒の長さが長く、この封水筒を取り出してヌメリを除去する際に、ヌメリが付着した封水筒の奥まで手を入れる必要があり不快であったり、長い封水筒全体を洗うのに手間がかかり、手入れが面倒であるという問題点があった。
【課題を解決するための手段】
【０００４】
本発明は上記従来の問題点に鑑み案出したものであって、ヘアキャッチャーの手入れと同時に防臭パイプのヌメリまで良好に除去することができ、掃除が簡単に行える排水トラップを提供するものであり、その請求項１は、内部に防臭パイプが垂設されてなる排水トラップにおいて、前記防臭パイプが上下に２分割されていることである。
【０００５】
また請求項２は、前記分割されている防臭パイプの下部筒体には、排水中の毛髪を捕集し得るヘアキャッチャーが一体化されていることである。
【発明の効果】
【０００６】
本発明は、内部に防臭パイプが垂設されてなる排水トラップにおいて、前記防臭パイプが上下に２分割されていることにより、防臭パイプの内、下方側の封水に浸っている部分の汚れがひどいため、この封水に浸っている下部のみを取り出して掃除し、ヌメリを除去することができ、分割されているため下部の部材は寸法も短く、容易に手入れすることができるものとなる。
【０００７】
また、前記分割されている防臭パイプの下部筒体には、排水中の毛髪を捕集し得るヘアキャッチャーが一体化されていることにより、防臭パイプの下部筒体とともにヘアキャッチャーを取り出して、下部筒体のヌメリ除去と同時にヘアキャッチャーの手入れも行うことができ、掃除が容易なものとなる。
【実施例】
【０００８】
以下、本発明の実施例を図面に基づいて説明する。
図１は、浴室の斜視構成図であり、浴室１の洗い場２の浴槽３側には凹み状に排水枡４が形成されており、この排水枡４の底部に排水口４ａが形成されて、この排水口４ａの下方に、図２の縦断面拡大構成図で示す排水トラップ７が、フランジ６を介在させて設けられる。
【０００９】
図２の排水トラップ７は、図示左側面に、浴槽３内の浴槽水を流し込むための浴槽排水管接続部７ａが形成されており、反対側の右側面には、図示しない排水管を接続できる排水管接続部７ｂが形成されている。
排水トラップ７内には防臭パイプ８が垂設されており、本例では、この防臭パイプ８は、上部筒体９と下部筒体１０で構成され、上部筒体９内に下部筒体１０が嵌め込まれて、上部筒体９よりも下方側へ向かって下部筒体１０が垂設されており、この下部筒体１０が封水面Ｗよりも下方に配置されて封水内に浸漬されるように構成されている。
【００１０】
なお、上部筒体９の内周と下部筒体１０の外周間は、図示しないパッキンでシールされている。上部筒体９の上端側は、排水口４ａに取り付けられるフランジ６に固定されるものである。
また、排水口４ａには、着脱可能にヘアキャッチャー５が取り付けられており、このヘアキャッチャー５で排水中の髪の毛等のゴミを捕集することができるものであり、ヘアキャッチャー５の外周には、指で挟んで持つことのできる取手部５ａが形成されている。
【００１１】
本例では、このヘアキャッチャー５の中央部から下方側へ垂設して連結棒１２が設けられており、この連結棒１２の下端は下部筒体１０の上面１０ａに連結されたものとなっている。
従って、連結棒１２を介して上方のヘアキャッチャー５と下部筒体１０が一体化されており、ヘアキャッチャー５の取手部５ａを持って上方へヘアキャッチャー５を引き上げることにより、ヘアキャッチャー５と共に下部筒体１０を引き上げることができるように構成されている。
従って、防臭パイプ８の上部筒体９は、固定させたままの状態で、ヘアキャッチャー５と共に下部筒体１０を排水枡４の上方へ引き上げて、ヘアキャッチャー５の掃除と同時に下部筒体１０のヌメリも洗って良好に除去することができるものとなる。
【００１２】
なお、本例では、封水面Ｗから下部筒体１０の下端までの封水高さｔは、５０ｍｍ程度の高さが確保されるように構成されており、下部筒体１０の上下高さ寸法は短いものであるため掃除もし易いものとなる。
【００１３】
次に、図３は変更例を示すものであり、また図４は、図３の分解図を示すものである。
図３および図４では、防臭パイプ８が上部筒体９と下部筒体１０に２分割されており、上部筒体９の上部はラッパ状に拡径した拡径部９ａとなっており、その上端に外側に突出してフランジ部９ｂが形成されている。
また、上部筒体９内に嵌まり込んで上部筒体９に垂下状に連結される下部筒体１０の上面には、ヘアキャッチャー５が一体形成されている。即ち、下部筒体１０の上面に複数の上下方向の細かい貫通孔が形成されてヘアキャッチャー５が構成されている。
このヘアキャッチャー５の中央部から上方へ立ち上げて、棒状の引き上げツマミ１３が立設されており、引き上げツマミ１３の上端は、上部筒体９のフランジ部９ｂよりも更に上方に配置されている。
【００１４】
なお、図３の上部筒体９と下部筒体１０の連結状態では、上部筒体のフランジ部９ｂと下部筒体１０の下端間の高さａは、１２０ｍｍ程度に設定されており、また下部筒体１０の上下高さ寸法ｂは、６０〜７０ｍｍの短い寸法に設定されている。
なお、下部筒体１０は、上端側の外径寸法よりも下端側の外径寸法が小さく、上下方向にテーパーが形成されており、上部筒体９内に上方より図４のように良好に差し込んで連結できるように構成されている。
【００１５】
このような構成では、必要に応じ、引き上げツマミ１３を手で持って上方へ引き上げることにより、下部筒体１０と一体のヘアキャッチャー５も同時に取り出して掃除することができるものとなり、ヘアキャッチャー５に付着している髪の毛やゴミ等を掃除し、また下部筒体１０に付着しているヌメリ等を容易に除去することができるものとなり、手入れが容易なものとなる。
【図面の簡単な説明】
【００１６】
【図１】浴室の斜視構成図である。
【図２】排水口の下方に設けられる排水トラップの縦断面拡大構成図である。
【図３】排水トラップ内の防臭パイプの変更例を示す縦断面拡大構成図である。
【図４】図３の分解構成図である。
【符号の説明】
【００１７】
１  浴室
２  洗い場
４  排水枡
４ａ  排水口
５  ヘアキャッチャー
５ａ  取手部
７  排水トラップ
８  防臭パイプ
９  上部筒体
９ａ  拡径部
９ｂ  フランジ部
１０  下部筒体
１０ａ  上面
１２  連結棒
１３  引き上げツマミ
ｔ  封水高さ
【図１】
2007046426.tif 000003
【図２】
2007046426.tif 000004
【図３】
2007046426.tif 000005
【図４】
2007046426.tif 000006